(57)【要約】  【課題】表示部を簡易的に取り外して撮影した場合、取り外したフレキシブル基板の端子部がむき出しになるため、端子部のショートの可能性があり、撮影に影響がでる。  【解決手段】フレキシブル基板により本体に接続されている表示部と、第一の溝形状を設けた第一の外装と、第二の溝形状を設けた第二の外装を備え、表示部を取り外して撮影が可能な撮像装置において、表示部を取り外した際、フレキシブル基板の一部は第一の外装の第一の溝形状に保持され、フレキシブル基板の、前記表示部と接続されていた端子部は第二の外装の第二の溝形状に保持する。【選択図】図１８
2018146775.tif 000002
【特許請求の範囲】
【請求項１】
フレキシブル基板により本体に接続されている表示部と、
第一の溝形状を設けた第一の外装と、第二の溝形状を設けた第二の外装を備え、
表示部を取り外して撮影が可能な撮像装置において、
表示部を取り外した際、
フレキシブル基板の一部は第一の外装の第一の溝形状に保持され、
フレキシブル基板の、
前記表示部と接続されていた端子部は第二の外装の第二の溝形状に保持されることを特徴とする撮像装置。
【請求項２】
第一の外装の第一の溝形状部は、第一の外装と表示部とで構成する目隠し部に備えられ、かつ第一の外装の肉抜き部であることを特徴とする撮像装置。
【発明の詳細な説明】
【技術分野】
【０００１】
本発明は、取り外し可能な表示装置に関するものである。
【背景技術】
【０００２】
撮像装置の撮影手段に関して、通常行われる手持ちスタイルでの撮影の他にも、機材に固定する方法など様々な撮影手段が存在している。その際、機材によっては、撮像装置の大きさが制限される場合もある。特に近年では、無人飛行機等に搭載して撮影することも多くなってきており、その際は撮像装置の大きさをできるだけ小型化させる必要がある。
【０００３】
この場合、例えば通常の撮影スタイルでは必要である表示部を、簡易的に着脱可能な構成としておき、無人飛行機に搭載する場合にはユーザー自らが外装を分解していき、取り外して搭載するということが考えられる。しかしながら、電気的に接続された表示部のフレキシブル基板が本体に残った場合、その接続先である表示部を取り外しているため、そのフレキシブル基板の固定方法が課題となる。特に無人飛行機に搭載する場合は、フレキシブル基板が固定されていない場合は損傷する恐れがあり、むき出しになったフレキシブル基板端子部は、他の金属部分に接触することでショートする恐れもある。
【０００４】
そのため、フレキシブル基板の固定方法を考慮する必要がある。従来、使用形態が異なる際の扱いに関するものとして、以下の文献がある。
【先行技術文献】
【特許文献】
【０００５】
【特許文献１】特開２００３−２８１４７９号公報
【発明の概要】
【発明が解決しようとする課題】
【０００６】
上記従来例では、磁石を構成することで、通常使用しない場合の本体の固定を行い、紛失を防いでいるが、新たな部品を追加することでコストを増加させている、という問題があった。
【課題を解決するための手段】
【０００７】
上記目的を達成するために、本出願に係る第一の発明は、
フレキシブル基板により本体に接続されている表示部と、
第一の溝形状を設けた第一の外装と、第二の溝形状を設けた第二の外装を備え、
表示部を取り外して撮影が可能な撮像装置において、
表示部を取り外した際、
フレキシブル基板の一部は第一の外装の第一の溝形状に保持され、
フレキシブル基板の、
前記表示部と接続されていた端子部は第二の外装の第二の溝形状に保持されることを特徴とする。
上記目的を達成するために、本出願に係る第二の発明は、
前記第一の外装の第一の溝形状部は、第一の外装と表示部とで構成する目隠し部に備えられ、かつ第一の外装の肉抜き部であることを特徴とする。
【発明の効果】
【０００８】
以上説明したように、本発明によれば、新たな部品を追加することなく、表示部を取り外した場合のフレキシブル基板の固定が可能となり、端子部のショートを防ぐことも可能となる。
【図面の簡単な説明】
【０００９】
【図１】撮像装置１の外観斜視図を示す
【図２】撮像装置１の外観斜視図を示す
【図３】ファインダ部３の外観斜視図を示す
【図４】ファインダ部３の本体接続部周辺の構成を示す
【図５】ファインダ部３からアイカップ３０１を取り外した図を示す
【図６】ファインダ部３の構成を示す
【図７】ファインダ部３の構成を示す
【図８】ファインダ部３の構成を示す
【図９】撮像装置１の外観斜視図を示す
【図１０】撮像装置１の外観斜視図を示す
【図１１】撮像装置１の外装を外した外観斜視図を示す
【図１２】上面カバー６の外観斜視図を示す
【図１３】撮像装置１の上面図を示す
【図１４】Ａ−Ａ断面を示す
【図１５】背面小カバー４の外観斜視図を示す
【図１６】ファインダ部３を取り外した撮像装置１の外観斜視図を示す
【図１７】ファインダ部３を取り外した撮像装置１の上面図を示す
【図１８】Ｂ−Ｂ断面を示す
【発明を実施するための形態】
【００１０】
＜第１の実施形態＞
以下、図面を参照しながら、本発明を実施するための形態についての説明を行う。図１、図２は、本発明における撮像装置１の外観斜視図である。撮像装置１はレンズマウント部を備えており、撮影時には、キャップ２を外して各種レンズを装着し、撮影する。レンズを通して撮影された光学像が不図示のセンサに取り込まれ、各種メディアに記録される。また、撮像装置１は回動可能なファインダ部３を備えており、撮影画像等の確認が可能となっている。本実施例では、ユーザーは撮影手段に応じて、ファインダ部３を撮像装置１から簡易的に取り外して撮影することが可能となっており、このファインダ部３の構成と取り外し方法について、以下に説明する。
【００１１】
図３はファインダ部３の外観斜視図である。ファインダ部３の外装はアイカップ３０１、ファインダー上カバー３０２、ファインダー下カバー３０３で構成されており、ヒンジユニット９が備えられ、このヒンジユニット９が本体に取り付けられる。フレキシブル基板１０の端子部１０ａは不図示の本体側のメイン基板に接続される。本実施例では、ヒンジユニット９と、フレキシブル基板１０が本体に接続された状態で、ファインダ部３からヒンジユニット９とフレキシブル基板１０を分離することで、ファインダ部３を撮像装置１から取り外すことが可能となっている。なお、ヒンジユニット９により、ファインダ部３は回動可能となっている。このため、フレキシブル基板１０は回動する際の余長を考慮した長さに設定されており、回動しない場合の長さよりも長めになっている。
【００１２】
図４は、ファインダ部３の本体接続部周辺の構成を示した図であり、説明に不要な部品は不図示としてある。ファインダ部３のヒンジユニット９が上面保持部材８にビスで締結されることで、ファインダ部３は撮像装置１に固定されることになる。前述のように、フレキシブル基板１０は、本体に固定されたメイン基板１１へ接続される。続いて、ファインダ部３からヒンジユニット９を分離する方法について説明する。
【００１３】
図５に示すように、ファインダ部３から弾性部材からなるアイカップ３０１を取り外す。更に、図６に示すように、ビス５ｅで締結されているファインダー上カバー３０２を取り外す。続いて図７に示すように、ビス５ｆでファインダー下カバー３０３に共締めされている、ヒンジユニット９とフレキシブル基板１０を取り外し、フレキシブル基板１０の端子部１０ｂをファインダー基板３０５のコネクタ３０５ａから取り外す。この状態で、ヒンジユニット９からファインダ部３を取り外すことが可能となる。
【００１４】
なお、光学ユニット保持部材３０６を含めて構成されているファインダー光学ユニット３０４には表示装置、レンズユニットが備えられており、その構成について以下に説明する。
【００１５】
図８は、ファインダー光学ユニット３０４の光学ユニット保持部材３０６を不図示とし、主要な部品を示した外観斜視図である。ファインダー光学ユニット３０４は表示装置３０７を備え、その表示装置フレキシブル基板３０７ａのコネクタ３０７ｂは、ファインダー基板３０５のコネクタ３０５ｂへ接続される。レンズユニット３０８は不図示のレバーで光軸方向であるＺ方向へ移動可能となっている。ユーザーは自身の視力に合わせた位置に調整することで、窓部３０３ａから表示装置３０７の画像を鮮明に視認することが可能となっている。
【００１６】
続いて、実際にユーザーが撮像装置１からファインダ部３を取り外す作業を説明する。図９に示すように、ファインダ部３を回動させ、ビス５ａで締結されている背面小カバー４を取り外す。
【００１７】
更に、図１０に示すように、ビス５ｂ、ビス５ｃ、ビス５ｄにより締結されている上面カバー６を取り外す。この際、共締めされているハンドル固定ベース７も取り外すことになる。続いて、図５〜図７で説明したように、ファインダ部３を分解し、ファインダ部３とヒンジユニット９を分離する。このファインダ部３とヒンジユニット９を分離する作業は、ヒンジユニット９が上面保持部材８に締結されている状態でも可能となっている。
【００１８】
このようにしてファインダ部３を取り外した撮像装置１の斜視図を図１１に示す。図に示すように、ファインダ部３が取り外されているため、この状態ではフレキシブル基板１０の端子部１０ｂ部は固定されていない。そのため撮影の障害になり、損傷する恐れもある。また、フレキシブル基板１０はメイン基板１１に接続されているため、端子部１０ｂが金属部品に接触した場合、ショートする恐れがある。そのため、このフレキシブル基板１０を固定保持する必要がある。以下に、このフレキシブル基板１０の固定方法について説明する。
【００１９】
図１２は上面カバー６の外観斜視図である。上面カバー６には、溝形状６ａが形成されている。図１４は図１３におけるＡ−Ａ断面を示している。溝形状６ａは、上面カバー６に設けたファインダー上カバー３０２とで形成する、内部への目隠し形状部６ｂに形成されており、成型部品のヒケ対策としても機能している。ここでいうヒケとは、成型品において肉厚が不均一の際に、成型後の樹脂の収縮により凹み形状が発生する現象をいう。一般に、ヒケ対策として肉厚を均一にするために製品の厚みを薄くする、肉抜き手段がとられる。
【００２０】
図１５は背面小カバー４の外観斜視図である。背面小カバー４にも同様な溝形状４ａを設けている。前述のフレキシブル基板１０は、これらの溝形状６ａ、溝形状４ａを用いることで固定が可能となる。その方法を以下に説明する。
【００２１】
図１６、図１７は、上面カバー６、背面小カバー４を組み込み、フレキシブル基板１０が固定された撮像装置１を示しており、図１８は図１７におけるＢ−Ｂ断面を示している。図１８に示すように、フレキシブル基板１０は前述の上面カバー６に設けた溝形状６ａ、背面小カバー４に設けた溝形状４ａに挟時されることで固定保持されている。これらのカバーの組み込み順番としては、上面カバー６を組み込み、溝形状６ａにフレキシブル基板１０を屈曲させて保持させる。
【００２２】
続いてフレキシブル基板１０の端子部１０ｂを、背面小カバー４の溝形状４ａで加えこむように背面小カバー４を組み込む。この時、フレキシブル基板１０の端子部１０ｂはフレキシブル基板１０の弾性力により、図中−Ｚ方向に付勢されているため、端子部１０ｂは溝形状４ａに押しつけられ、固定される。この溝形状４ａは、フレキシブル基板１０の端子部１０ｂを囲うように構成されており、背面小カバー４を絶縁された樹脂で構成することで、端子部１０ｂのショートを防ぐことが可能となる。
【００２３】
このように本実施例において、ユーザーが簡易的にファインダ部３を取り外した場合でもフレキシブル基板１０を固定することが可能で、更にはショートが発生する恐れのある端子部１０ｂも絶縁することが可能となり、快適な撮影環境を提供することができる。
【００２４】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００２５】
１ ・・・・ 撮像装置
２ ・・・・ キャップ
３ ・・・・ ファインダ部
３０１ ・・・・ アイカップ
３０２ ・・・・ ファインダー上カバー
３０３ ・・・・ ファインダー下カバー
３０３ａ ・・・・ 窓部
３０４ ・・・・ ファインダー光学ユニット
３０５ ・・・・ ファインダー基板
３０５ａ ・・・・ コネクタ
３０５ｂ ・・・・ コネクタ
３０６ ・・・・ 光学ユニット保持部材
３０７ ・・・・ 表示装置
３０７ａ ・・・・ 表示装置フレキシブル基板
３０７ｂ ・・・・ コネクタ
３０８ ・・・・ レンズユニット
４ ・・・・ 背面小カバー
４ａ ・・・・ 溝形状
５ａ ・・・・ ビス
５ｂ ・・・・ ビス
５ｃ ・・・・ ビス
５ｄ ・・・・ ビス
５ｅ ・・・・ ビス
５ｆ ・・・・ ビス
６ ・・・・ 上面カバー
６ａ ・・・・ 溝形状
６ｂ ・・・・ 目隠し形状部
７ ・・・・ ハンドル固定ベース
８ ・・・・ 上面保持部材
９ ・・・・ ヒンジユニット
１０ ・・・・ フレキシブル基板
１０ａ ・・・・ 端子部
１０ｂ ・・・・ 端子部
１１ ・・・・ メイン基板
【図１】
2018146775.tif 000003
【図２】
2018146775.tif 000004
【図３】
2018146775.tif 000005
【図４】
2018146775.tif 000006
【図５】
2018146775.tif 000007
【図６】
2018146775.tif 000008
【図７】
2018146775.tif 000009
【図８】
2018146775.tif 000010
【図９】
2018146775.tif 000011
【図１０】
2018146775.tif 000012
【図１１】
2018146775.tif 000013
【図１２】
2018146775.tif 000014
【図１３】
2018146775.tif 000015
【図１４】
2018146775.tif 000016
【図１５】
2018146775.tif 000017
【図１６】
2018146775.tif 000018
【図１７】
2018146775.tif 000019
【図１８】
2018146775.tif 000020